(57)【特許請求の範囲】
【請求項１】
入力画像データに対して、所定の画像処理を施して出力画像とする画像処理装置であって、
証明写真用途であることを示す識別コードを有する入力画像データを取得する手段と、
前記入力画像データが、証明写真用途であることを示す識別データを有するか否かを判断する手段と、
証明写真用途であることを示す識別データを有する入力画像データであると判断された入力画像データから主要被写体を抽出する手段と、
該抽出された主要被写体の大きさと、予め指定されたプリントサイズとを比較して、必要とされるプリントサイズに最適な主要被写体の大きさとなるように、プリント倍率を決定し、さらに該抽出された主要被写体が中央に位置するようにフレーム位置を決定する手段と、
を有することを特徴とする画像処理装置。
【請求項２】
前記入力画像データは、さらに出力するプリントサイズのデータを有し、
該抽出された主要被写体の大きさと、前記入力画像データが有するプリントサイズとを比較して、必要とされるプリントサイズに最適な主要被写体の大きさとなるように、プリント倍率を決定し、さらに該抽出された主要被写体が中央に位置するようにフレーム位置を決定する請求項１に記載の画像処理装置。
【請求項３】
デジタル画像処理により前記入力画像データにした修正の修正度、あるいはデジタル画像処理により前記入力画像データを修正していないことを示す印字またはドットパターンを、バックプリントもしくは画像面に埋め込む手段を有する請求項１または２に記載の画像処理装置。
【請求項４】
前記画像処理後の画像を出力する際、前記指定されたプリントサイズの枠あるいは切り抜く範囲も出力されるようにした請求項１乃至３のいずれかに記載の画像処理装置。
【請求項５】
さらに、入力画像データを表示するモニタを有し、
前記モニタに、前記画像処理後の画像を表示する際、前記指定されたプリントサイズに相当する枠も表示するようにした請求項１乃至４のいずれかに記載の画像処理装置。
【請求項６】
証明写真用途であるか否かを指定する手段と、
証明写真用途であると指定された場合に、ファインダ内に証明写真用の大きさを示す枠を表示させる手段と、
証明写真用途であると指定された場合に、証明写真用途であることを示す識別コードをフィルムもしくはパトローネ、記録媒体に光学的、磁気的あるいは電気的に記録する手段と、
を有することを特徴とする証明写真撮影装置。
【請求項７】
さらに、証明写真用途であると指定された場合に、出力するプリントサイズをフィルムもしくはパトローネ、記録媒体に光学的、磁気的あるいは電気的に記録する手段を有する請求項５に記載の証明写真撮影装置。
【請求項８】
請求項５〜７のいずれかに記載の証明写真撮影装置と、
撮影された画像を入力する画像入力装置と、
請求項１〜４のいずれかに記載の画像処理装置と、
画像処理後の画像を証明写真として出力するプリンタと、
を有することを特徴とする証明写真作成システム。
【発明の詳細な説明】
【０００１】
【発明の属する技術分野】
本発明は、証明写真を撮影、作成するための技術に関する。
【０００２】
【従来の技術】
従来、証明写真を作成するには、その目的とする証明写真の大きさによって、主要被写体を写真フレーム中のどの位置にどのくらいの大きさで撮影すればよいか、素人にはなかなか難しく、スタジオで専門家に撮影してもらわなければならなかった。また、顧客が撮影した写真フィルムをラボに持ち込んで、証明写真の依頼がなされた場合、一般に、証明写真の大きさに応じて、フィルムに撮影された画像の一部を切り出して、必要に応じた大きさの写真として再生するいわゆるトリミングを行う必要がある。このとき、従来の直接露光によるフォトプリンタでは、トリミングは、フィルムに撮影された画像の不要な領域をマスキングして、フィルムの位置合わせを行った上で、トリミングによって切り出す領域を拡大して投影して、感光材料を露光することによって行われている。
【０００３】
これに対し、近年、フィルムに記録された画像を光電的に読み取って、読み取った画像をデジタル信号とした後、種々の画像処理を施して記録用の画像データとし、この画像データに応じて変調した記録光によって感光材料を走査露光して画像（潜像）を記録し、（仕上り）プリントとするデジタルフォトプリンタが実用化されている。このデジタルフォトプリンタによれば、画像処理による画像の切り出しと電子変倍処理とによって、より容易に、しかも自由度の高いトリミングを行うことができる。しかし、デジタルフォトプリンタによるトリミングであっても、画像の切り出しや変倍処理等、オペレータによる特殊な作業を伴う手間のかかる処理であり、生産性の低下を招いていた。
【０００４】
これに対して、従来、デジタルフォトプリンタによるさまざまなトリミング技術が提案されている。
例えば、特開平１１−１７７８０２号公報には、出力画像のサイズに応じてトリミング領域のアスペクト比を選択、もしくは算出して設定し、設定したアスペクト比に応じてトリミングの指示を行うようにしたものが開示されている。
また、特開平８−１２５９０９号公報には、撮影カメラから出力された撮影画像データから所定の領域の撮影画像データを抽出して、抽出された撮影画像データから背景色を認定し、認定された背景色に基づいて、目的画像を切り出し、切り出した目的画像が所望の位置に来るようにフレーミング制御を行うようにしたものが開示されている。
【０００５】
【発明が解決しようとする課題】
しかしながら、前記従来のものは、いずれも証明写真の作成を目的としたものではないため、簡単に証明写真を作成するという観点からはさらに改良の余地があった。
本発明は、前記従来技術に鑑みてなされたものであり、簡単、手軽に証明写真を撮影、作成することのできる技術を提供することを課題とする。
【０００６】
【課題を解決するための手段】
前記課題を解決するために、本発明の第一の態様は、入力画像データに対して、所定の画像処理を施して出力画像とする画像処理装置であって、証明写真用途であることを示す識別コードを有する入力画像データを取得する手段と、前記入力画像データが、証明写真用途であることを示す識別データを有するか否かを判断する手段と、証明写真用途であることを示す識別データを有する入力画像データであると判断された入力画像データから主要被写体を抽出する手段と、該抽出された主要被写体の大きさと、予め指定されたプリントサイズとを比較して、必要とされるプリントサイズに最適な主要被写体の大きさとなるように、プリント倍率を決定し、さらに該抽出された主要被写体が中央に位置するようにフレーム位置を決定する手段と、を有することを特徴とする画像処理装置を提供する。
【０００７】
また、前記入力画像データは、さらに出力するプリントサイズのデータを有し、
該抽出された主要被写体の大きさと、前記入力画像データが有するプリントサイズとを比較して、必要とされるプリントサイズに最適な主要被写体の大きさとなるように、プリント倍率を決定し、さらに該抽出された主要被写体が中央に位置するようにフレーム位置を決定することが好ましい。
【０００８】
また、デジタル画像処理により前記入力画像データにした修正の修正度、あるいはデジタル画像処理により前記入力画像データを修正していないことを示す印字またはドットパターンを、バックプリントもしくは画像面に埋め込む手段を有することが好ましい。
【０００９】
また、前記画像処理後の画像を出力する際、前記指定されたプリントサイズの枠あるいは切り抜く範囲も出力されるようにしたことが好ましい。
【００１０】
さらに、入力画像データを表示するモニタを有し、前記モニタに、前記画像処理後の画像を表示する際、前記指定されたプリントサイズに相当する枠も表示するようにしたことが好ましい。
【００１１】
また、同様に前記課題を解決するために、本発明の第二の態様は、証明写真用途であるか否かを指定する手段と、証明写真用途であると指定された場合に、ファインダ内に証明写真用の大きさを示す枠を表示させる手段と、証明写真用途であると指定された場合に、証明写真用途であることを示す識別コードをフィルムもしくはパトローネ、記録媒体に光学的、磁気的あるいは電気的に記録する手段と、を有することを特徴とする証明写真撮影装置を提供する。
さらに、証明写真用途であると指定された場合に、出力するプリントサイズをフィルムもしくはパトローネ、記録媒体に光学的、磁気的あるいは電気的に記録する手段を有することが好ましい。
【００１２】
さらに、同様に前記課題を解決するために、本発明の第三の態様は、上記のいずれかに記載の証明写真撮影装置と、撮影された画像を入力する画像入力装置と、上記のいずれかに記載の画像処理装置と、画像処理後の画像を証明写真として出力するプリンタと、を有することを特徴とする証明写真作成システムを提供する。
【００１３】
【発明の実施の形態】
以下、本発明に係る証明写真撮影装置と画像処理装置及び証明写真作成システムについて、添付の図面に示される好適実施形態を基に、詳細に説明する。
【００１４】
図１は、本発明の一実施形態に係る、画像処理装置を含み、証明写真作成システムを構成するデジタルフォトプリンタの概略を示すブロック図である。
図１に示すデジタルフォトプリンタ（以下、フォトプリンタという）１０は、フィルムＦに撮影された画像を光電的に読み取るスキャナ（画像読取装置）１２と、このスキャナ１２で読み取られた画像データの電子変倍処理や、画像データのエッジ部の検出やシャープネス強調（鮮鋭度強調）、平滑化処理（粒状抑制）および本発明の特徴である証明写真作成のための処理などの画像処理やフォトプリンタ１０全体の操作および制御等を行う画像処理装置１４と、この画像処理装置１４から出力された画像データに応じて変調した光ビームで感光材料（印画紙）を画像露光し、現像処理して（仕上がり）画像をプリントとして出力する画像記録装置１６と、を有する。
また、画像処理装置１４には、様々な条件の入力、設定、処理の選択や指示、色／濃度補正などの指示等を入力するためのキーボード１８ａおよびマウス１８ｂを有する操作系１８と、スキャナ１２で読み取られた画像、各種の操作指示、様々な条件の設定／登録画面等を表示するモニタ２０が接続される。
【００１５】
スキャナ１２は、フィルムＦ等に撮影された画像を１コマずつ光電的に読み取る装置で、光源２２と、可変絞り２４と、フィルムＦに入射する読取光をフィルムＦの面方向で均一にする拡散ボックス２６と、フィルムＦのキャリア２８と、結像レンズユニット３０と、Ｒ（赤）、Ｇ（緑）およびＢ（青）の各色画像濃度の読取に対応する３ラインＣＣＤセンサを有するイメージセンサ３２と、アンプ（増幅器）３３と、Ａ／Ｄ（アナログ／デジタル）変換器３４とを有する。
【００１６】
フォトプリンタ１０においては、スキャナ１２の本体に装着自在な専用のキャリア２８が、新写真システム（Ａdvanced Ｐhoto  Ｓystem)や１３５サイズのネガ（あるいはリバーサル）フィルム等のフィルムＦの種類やサイズ、ストリップスやスライド等のフィルムの形態等に応じて用意されており、キャリア２８の交換によって、各種のフィルムや処理に対応することができる。フィルムに撮影され、プリント作成に供される画像（コマ）は、このキャリア２８によって所定の読取位置に搬送される。
また、周知のように、新写真システムのフィルムには、磁気記録媒体が形成され、カートリッジＩＤやフィルムサイズ、ＩＳＯ感度等が記録されており、また、撮影時や現像時等に、撮影や現像日時、露出レベル、カメラや現像機の機種等の各種のデータが記録可能である。新写真システムのフィルム（カートリッジ）に対応するキャリア２８には、この磁気情報の読取手段が配置されており、フィルムを読取位置に搬送する際に磁気情報を読み取り、これらの各種の情報が画像処理装置１４に送られる。
【００１７】
このようなスキャナ１２において、フィルムＦに撮影された画像を読み取る際には、光源２２から射出され、可変絞り２４および拡散ボックス２６によって光量調整された均一な読取光が、キャリア２８によって所定の読取位置に位置されたフィルムＦに入射して、透過することにより、フィルムＦに撮影された画像を担持する投影光を得る。
なお、カラー画像信号は、このようにフィルムを透過した光を読み取ることによって入力されるものには限定されず、反射原稿でもよいし、あるいはデジタルカメラによって撮影された画像を用いてもよい。
【００１８】
図示例のキャリア２８は、２４枚取りの１３５サイズのフィルムや新写真システムのカートリッジ等の、長尺なフィルムＦ（ストリップス）に対応するものである。
フィルムＦは、このキャリア２８によって読取位置に位置されて、ＲＧＢの３ラインＣＣＤセンサの延在方向である主走査方向と直交する副走査方向に搬送されつつ、読取光を入射される。これにより、結果的に、フィルムＦが２次元的にスリット走査され、フィルムＦに撮影された各コマの画像が読み取られる。
【００１９】
フィルムＦの投影光は、結像レンズユニット３０によってイメージセンサ３２の受光面に結像される。
イメージセンサ３２から出力されたＲ、ＧおよびＢの各出力信号は、アンプ３３で増幅されて、Ａ／Ｄ変換器３４に送られ、Ａ／Ｄ変換器３４において、それぞれ、例えば１２ｂｉｔのＲＧＢデジタル画像データに変換された後、画像処理装置１４に出力される。
【００２０】
なお、スキャナ１２においては、フィルムＦに撮影された画像を読み取るに際し、低解像度で読み取るプレスキャン（第１回目の画像読取）と、出力画像の画像データを得るためのファインスキャン（第２回目の画像読取）との２回の画像読取を行う。
ここで、プレスキャンは、スキャナ１２が対象とするフィルムＦの全ての画像を、イメージセンサ３２が飽和することなく読み取れるように、予め設定されたプレスキャン読取条件で行われる。
一方、ファインスキャンは、プレスキャンデータから、その画像（コマ）の最低濃度よりも若干低い濃度でイメージセンサ３２が飽和するように、各コマ毎に設定されたファインスキャンの読取条件で行われる。なお、プレスキャンおよびファインスキャン出力画像信号は、解像度および出力画像信号レベルが異なる以外は、基本的に同様な画像データである。
【００２１】
なお、フォトプリンタ１０に用いられるスキャナ１２は、このようなスリット走査読取を行うものに限定されず、１コマのフィルム画像の全面を一度に読み取る面状読取を行うものであってもよい。
この場合には、例えばエリアＣＣＤセンサなどのエリアセンサを用い、光源２２とフィルムＦとの間にＲ、ＧおよびＢの各色フィルタの挿入手段を設け、光源２２からの射出光の光路に挿入して、色フィルタを透過した読取光をフィルムＦ全面に照射して、透過光をエリアＣＣＤセンサに結像させてフィルム全画像を読み取ることを、Ｒ、ＧおよびＢの各色フィルタを切り換えて順次行うことで、フィルムＦに撮影された画像を３原色に分解して読み取る。
【００２２】
前述したように、スキャナ１２から出力されるデジタル画像データ信号は、本発明の画像処理方法を実施する画像処理装置１４に出力される。
図２に、この画像処理装置（以下、処理装置という。）１４のブロック図を示す。処理装置１４は、スキャナ補正部３６、ＬＯＧ変換器３８、プレスキャン（フレーム）メモリ４０、ファインスキャン（フレーム）メモリ４２、プレスキャンデータ処理部４４、ファインスキャンデータ処理部４６および条件設定部４８および証明写真処理部７０を有して構成される。
なお、図２は主に画像処理関連の部分を示すものであり、処理装置１４には、これ以外にも、処理装置１４を含むフォトプリンタ１０全体の制御や管理を行うＣＰＵ、フォトプリンタ１０の作動等に必要な情報を記録するメモリ等が配設され、また、操作系１８やモニタ２０は、このＣＰＵ等（ＣＰＵバス）を介して各部分に接続される。
【００２３】
スキャナ１２から処理装置１４に入力されたＲ、ＧおよびＢの画像信号、例えば１２ｂｉｔのデジタル画像データは、スキャナ補正部３６に入力される。
スキャナ補正部３６は、スキャナ１２のイメージセンサ３２のＲＧＢ３ラインＣＣＤセンサに起因する、ＲＧＢデジタル画像データの画素毎の感度ばらつきや暗電流を補正するためにＤＣオフセット補正、暗時補正、欠陥画素補正、シェーディング補正等の読取画像データのデータ補正を行うものである。スキャナ補正部３６で画素毎の感度ばらつきや暗電流の補正処理等が施されたデジタル画像信号は、ＬＯＧ変換処理器に出力される。
ＬＯＧ変換器３８は、対数変換処理してデジタル画像データを階調変換してデジタル画像濃度データに変換するものであって、例えば、ルックアップテーブル（ＬＵＴ）を用いて、スキャナ補正部３６で補正された１２ｂｉｔのデジタル画像データを、例えば１０ｂｉｔ（０〜１０２３）のデジタル画像濃度データに変換する。
【００２４】
ＬＯＧ変換器３８で変換されたデジタル画像濃度データは、プレスキャン画像データであればプレスキャンメモリ４０に、ファインスキャン画像データであればファインスキャンメモリ４２に、それぞれ記憶（格納）される。
プレスキャンメモリ４０は、スキャナ１２によるフィルムＦのプレスキャンによって得られ、各種のデータ補正および対数変換処理が施されたフィルムＦの１コマ全部の低解像度画像濃度データをＲＧＢの各色毎に格納または記憶するためのフレームメモリである。プレスキャンメモリ４０は、少なくともフィルムＦの１コマのＲＧＢ３色の画像濃度データを格納できる容量が必要であるが、複数コマ分の画像濃度データを格納できる容量を持つものであってもよいし、１コマ分の容量のメモリを多数備えるものであってもよい。
プレスキャンメモリ４０に記憶されたプレスキャン画像データは、プレスキャンデータ処理部４４に読みだされる。
【００２５】
一方、ファインスキャンメモリ４２は、スキャナ１２によるフィルムＦのファインスキャンによって得られ、各種のデータ補正および対数変換処理が施されたフィルムＦの１コマ全部の高解像度画像濃度データをＲＧＢの各色毎に格納または記憶するためのフレームメモリである。
ファインスキャンメモリ４２に記憶されたファインスキャン画像データは、ファインスキャンデータ処理部４６に読みだされる。
【００２６】
プレスキャンデータ処理部４４は、プレスキャンメモリ４０に記憶されたプレスキャン画像データに対し、モニタ２０に表示するのに必要な種々の画像処理を施すものであり、画像処理部５０と、画像データ変換部５２とを有する。
ここで、画像処理部５０は、後述する条件設定部４８が設定した画像処理条件に従って、スキャナ１２によって読み取られプレスキャンメモリ４０に記憶された画像データに対し所定の画像処理を施すためのものである。所定の画像処理としては、モニタ２０のＣＲＴ表示画面にカラー画像が所望の画質で再生可能なように、ルックアップテーブル（以下、ＬＵＴで代表させる）やマトリックス（以下、ＭＴＸで代表させる）演算を用いて、階調補正、色変換、濃度変換等の処理が行われる。
画像データ変換部５２は、画像処理部５０によって処理された画像データをモニタ２０に表示させるために、モニタ２０の解像度に合うように必要に応じて間引いて、３Ｄ（３次元）ＬＵＴ等を用いて、モニタ２０による表示に対応する画像データに変換するものである。
【００２７】
一方、ファインスキャンデータ処理部４６は、ファインスキャンメモリ４２に記憶されたファインスキャン画像データに対し、画像記録装置１６からカラープリントとして出力するのに必要な種々の画像処理を実行するものであり、画像処理部５４と、画像データ変換部５６とを有する。
ここで、画像処理部５４は、後述する条件設定部４８が設定した画像処理条件に従って、スキャナ１２によって読み取られファインスキャンメモリ４２に記憶された画像データに所定の画像処理を施し、カラープリントとして所望の濃度、階調および色調で、カラーペーパ上に、最適、高品質な画像を再生可能とするものである。このため画像処理部５４は、画像データに対して、ＬＵＴ，ＭＴＸ演算器、ローパスフィルタ、加減算器などにより、色バランス調整、階調調整、色調整、濃度調整、彩度調整、電子変倍やシャープネス強調（輪郭強調；鮮鋭化）などの種々の画像処理を施す。
【００２８】
画像データ変換部５６は、画像処理部５４によって処理された画像データを、例えば３ＤＬＵＴ等の標準階調ルックアップテーブルを用いて、画像記録装置１６による画像記録に対応する画像データに変換して、画像記録装置１６に供給する。
画像記録装置１６は、ファインスキャンデータ処理部４６から出力される画像データに基づいて、カラー画像が再現された仕上がりプリントとして出力するためのものである。
【００２９】
条件設定部４８は、プレスキャンデータ処理部４４の画像処理部５０およびファインスキャンデータ処理部４６の画像処理部５４における各種の処理条件を設定する。この条件設定部４８は、セットアップ部５８、キー補正部６０およびパラメータ統合部６２を有している。
セットアップ部５８は、プレスキャン画像データ等を用いて、ファインスキャンの読取条件を設定してスキャナ１２に供給し、また、プレスキャンデータ処理部４４およびファインスキャンデータ処理部４６の画像処理条件を作成（演算）し、パラメータ統合部６２に供給する。
【００３０】
具体的には、セットアップ部５８は、プレスキャンメモリ４０からプレスキャン画像データを読み出し、プレスキャン画像データから、濃度ヒストグラムの作成や、平均濃度、ＬＡＴＤ（大面積透過濃度）、ハイライト（最低濃度）、シャドー（最高濃度）等の画像特徴量の算出を行う。
算出した画像特徴量から、その画像の最低濃度よりも若干低濃度でイメージセンサ３２が飽和するように、ファインスキャンの読取条件、例えば、光源２２の光量、可変絞り２４の絞り値、イメージセンサ３２の（各ＲＧＢ３ラインＣＣＤセンサの）蓄積時間等を設定する。なお、ファインスキャンの読取条件は、プレスキャンの読取条件に対して、イメージセンサ３２の出力レベルに対応する全ての要素を変更してもよく、前記絞り値等のいずれか１つの要素のみを変更するものでもよく、絞り値と蓄積時間等の複数の要素のみを変更するものでもよい。
さらに、セットアップ部５８は、濃度ヒストグラムや画像特徴量と、必要に応じて行われるオペレータによる指示等に応じて、前述の色バランス調整や階調調整等の画像処理条件を設定する。
【００３１】
キー補正部６０は、キーボード１８ａや操作系１８に設けられたキー（図示せず）によって設定された濃度（明るさ）、色、コントラスト、シャープネス、彩度等の調整量やマウス１８ｂで入力された各種の指示等に応じて、画像処理条件の調整量（例えば、ＬＵＴの補正量等）を算出し、パラメータを設定し、パラメータ統合部６２に供給するものである。
パラメータ統合部６２は、セットアップ部５８が設定した画像処理条件を受け取り、供給された画像処理条件を、プレスキャンデータ処理部４４の画像処理部５０およびファインスキャンデータ処理部４６の画像処理部５４に設定し、さらに、キー補正部６０で算出された調整量に応じて、各部分に設定した画像処理条件を補正（調整）し、あるいは画像処理条件を再設定する。
【００３２】
本実施形態に係る画像処理装置およびこれを用いるデジタルフォトプリンタによる証明写真作成システムは、基本的に以上のように構成され、処理装置１４は、顧客の依頼に応じてオペレータによって証明写真作成が指示（入力）されたとき、または、識別コードによって用途が証明写真であることが指定されたとき、証明写真作成処理に入る。証明写真作成処理は、証明写真処理部７０において行われる。
【００３３】
以下、本発明の第一実施形態の作用を説明する。
第一実施形態は、撮影時にその写真の用途が証明写真であることを示す識別コードを設定することはせず、顧客が任意の撮影装置（カメラ）で撮影した写真フィルムを提出して証明写真の作成を依頼した場合に、その写真フィルムから証明写真を作成するものである。本第一実施形態では、用途が証明写真であることを示す識別コードを設定するようにはしないため、顧客の依頼を受けてオペレータが証明写真であること及びそのプリントサイズを入力することとなる。
以下、図３のフローチャートを用いて説明する。
【００３４】
ステップ１００において、顧客が任意の撮影装置（カメラ）で証明写真作成用の写真を撮影する。この撮影に用いられるカメラは、特に限定されるものではなく、一眼レフ、コンパクトカメラ、デジタルカメラ、レンズ付きカメラ（ＬＦ）等何でもよい。
ステップ１１０において、顧客が撮影したフィルムをラボに差し出して証明写真の作成を依頼すると、その撮影済のフィルムからスキャナ１２により画像が入力される。この依頼の際、パスポート用あるいは免許証用等そのサイズが決まっている場合は、その証明写真である旨が、また、その他の場合には証明写真である旨およびそのプリントサイズが顧客によって指定される。
【００３５】
次にステップ１２０において、オペレータは、検定画面から顧客の指定した画像を選び、証明写真作成のための処理に入る旨の指示を出す。このとき、画面表示は、例えば図４に示すような、証明写真作成処理用の画面８０に切り替わる。
ここで、モニタ２０の検定画面に表示される画像は、上述したように画像処理部５０で処理されたプレスキャン画像データに限定されるものではなく、上記のように画像がフィルム入力される場合には、前記プレスキャン画像データの他、ファインスキャン画像データでもよい。また、画像がデジタル入力される場合には、（デジタルカメラ等による）撮影画像そのものでもよいし、直接画像データ入力される場合には、入力画像そのものであってもよい。ただし、プレスキャン画像データを用いて以下の変更を行う場合には、最終的にはファインスキャン画像データによる切り出し位置、プリント倍率等に変換する処理が必要となる。
図４の証明写真作成処理用の画面８０において、オペレータがプリントサイズキー８２ａをクリックすることにより、プリントサイズを指定する。プリントサイズの指定は、パスポート、免許証等のように予め設定しておいたプリントサイズから指定してもよいし、あるいはプリントの縦、横のサイズを何×何等のように直接指定して設定してもよい。プリントサイズキー８２ａをクリックすることにより、オペレータによって指定されたプリントサイズに対応する枠が破線で画面上に表示される。
【００３６】
すると、ステップ１３０で、証明写真処理部７０において、入力画像から主要被写体の抽出が行われる。この主要被写体抽出の方法は、特に限定はされず、公知の方法、例えば一例として特開平８−１８４９２５号公報等に開示された方法で自動的に行われる。あるいは、画面を見ながら、オペレータが手動で抽出するようにしてもよいし、またはオペレータが主要被写体の一部を指定し、矩形枠で囲む等により主要被写体を指定してから、その情報から再度主要被写体を抽出し直しても良い。このようにすると、特に、主要被写体抽出を自動で行った場合に、主要被写体が正確に抽出できなかった場合等に有効である。
また、主要被写体抽出後、主要被写体はオートフレーミング等により常に画面の中央に位置するようにすると更に良い。
【００３７】
証明写真処理部７０において、主要被写体の抽出が行われると、次のステップ１４０において、いま抽出した主要被写体の大きさと、先に指定されたプリントサイズを比較して、必要とされるプリントサイズに最適な主要被写体の大きさとなるように自動的にプリント倍率を決定する。同時に、図４に示すように、主要被写体が中央に位置するようにフレーム位置Ｆr が決定される。
なお、主要被写体の自動抽出に失敗した場合には、オペレータが手動でプリント倍率およびトリミング範囲を設定する。
【００３８】
次にステップ１５０において、オペレータが画面表示を見て良いとした場合には、確定キー８２ｂをクリックすると、ステップ１７０において出力画像の出力条件が確定する。一方、ステップ１５０において、オペレータがもう少し調整の必要ありと判断した場合には、ステップ１６０において、プリント倍率キー８２ｃを用いてプリント倍率を変更したり、プリント枠を移動したりして微調整を行うことができる。
このようにして設定された、証明写真作成のための処理条件によって、画像処理部５４において画像処理が行われ、証明写真が出力される。この出力先は、プリントあるいはファイルを示す出力先キー８２ｄによって指定される。
【００３９】
図５に証明写真として出力されたプリントの例を示す。図５（ａ）は、主要被写体を囲む破線の枠８４を出力して、この枠に沿って顧客が切り取って、証明写真として使用するようにしたものである。また、図５（ｂ）は、枠の代わりに印刷等で用いられるいわゆるトンボ８６を出力したものである。あるいは、はじめから、このように切り取る必要のないサイズで出力するようにしてもよい。
また、例えば、カラーバランスのセンターを調整する等して、顔の色を明るく、暖かめの色あるいは濃度にする等して、色または濃度も証明写真用に最適化しておくと更に良い。
なお、証明写真については、その性質上あまり表情が変わってしまうのは問題であるため、バックプリントもしくは画像面に、デジタル画像処理による修正度あるいは修正していない旨を、印字したりあるいは人間の視覚特性を利用した人間には見えないドットパターン等として埋め込むようにしてもよい。
【００４０】
次に、本発明の第二実施形態について説明する。
本第二実施形態は、撮影装置として、用途が証明写真であることを示す識別コードを有するもの、すなわち証明写真であることを示す識別コードを入力することができるものを使用して、その識別コードを利用することにより、自動的に証明写真作成処理に入るようにしたものである。
以下、図６のフローチャートを用いて説明する。
【００４１】
まず、ステップ２００において、顧客が用途が証明写真であることを示す識別コードを入力可能なカメラを用いて証明写真用の写真を撮影する。このカメラは、撮影の際、識別コードを入力して証明写真であることを指定すると、フィルムもしくはパトローネ、記録媒体に光学的、磁気的あるいは電気的に、そのとき撮影されるコマが証明写真であることを示す識別コードを記録できるようになっている。また、カメラのファインダ内に、図７に示すような証明写真用の大きさを示す枠が破線８８等で表示されていると、証明写真の撮影においてフレーミングが容易になるため、好ましい。
【００４２】
この枠は、各プリントサイズ毎にそのプリントサイズに応じた大きさのものが表示される。この枠を参考にして撮影することにより、撮影時から最適な大きさで画像を撮影することができる。また、デジタルカメラの場合には、液晶モニタに、この枠を表示するようにしてもよい。この枠は、焦点距離等によって変わるようになっている。
また、証明写真用アダプタとして、例えば図７に示すような枠が表示されたスクリーン状のアダプタをファインダ部にセットするようにしてもよい。このアダプタを各証明写真サイズ毎に用意し、ファインダにセットすると、各証明写真サイズの枠が見えるため、この枠内に入るように撮影すればよい。このとき、撮影距離は固定とされる。
【００４３】
顧客は、撮影済の写真フィルムを提出して証明写真の作成を依頼する際、プリントサイズを連絡する。
ステップ２１０において、撮影済写真フィルムを読み取り、画像を入力するとともに、識別コードを読み取る。このとき、例えば新写真システムの場合には、フィルムの磁気記録媒体に識別コードが記録されており、これをキャリア２８の磁気情報読取手段によって読み取る。磁気読取手段が識別コードを読み取り、その用途が証明写真であると判断すると、証明写真処理部７０が証明写真作成処理を開始する。このように、識別コードが読み取られることにより、オペレータが検定画面から証明写真用の画像を指定する必要はなく、自動的に証明写真作成処理が開始され、証明写真用の画像が選択されて、図４と同様の画面表示が行われる。
なお、識別コードの記録媒体に応じて、各種の読取手段が用意される。
【００４４】
次のステップ２２０において、オペレータが画面上でプリントサイズを指示すると、ステップ２３０において、主要被写体の抽出が行われる。以後の処理は、第一実施形態のステップ１４０以下と全く同じである。
すなわち、ステップ２４０で、抽出された主要被写体の大きさと、指定されたプリントサイズから、このプリントサイズに最適な主要被写体の大きさになるようにプリント倍率を決定し、出力する。そして、ステップ２５０で、この画面表示をオペレータが見て、そのプリント倍率でよいか判断をする。よければステップ２７０に進み、出力画像条件を確定し、よくない場合にはステップ２６０で、微調整をおこない最適なプリント倍率を再決定する。
【００４５】
次に、本発明の第三実施形態について説明する。
本第三実施形態は、前記第二実施形態と同様、撮影装置として、用途が証明写真であることを示す識別コードを入力可能であるものを用いるものであるが、本実施形態の撮影装置は、さらに、プリントサイズをも入力することが可能となっている。すなわち、フィルムもしくはパトローネ、記録媒体に光学的、磁気的あるいは電気的に、識別コードと共にプリントサイズが記録される。
従って、本実施形態では、オペレータによるプリントサイズの指定は不要であり、完全に自動的に証明写真作成の処理が行われる。オペレータは、最終的に確認作業をするのみでよく、簡単に証明写真を作成することができる。
【００４６】
以下、図８のフローチャートを用いて、第三実施形態について説明する。
まず、ステップ３００において、顧客が証明写真であることを示す識別コードを入力することが可能であるカメラを用いて証明写真用の写真を撮影する。撮影の際、顧客は、証明写真であることを示す識別コードおよびプリントサイズをカメラに入力する。
ステップ３１０で、顧客が、画像と識別コードおよびプリントサイズの記録された写真フィルムを提出して証明写真の作成を依頼すると、画像を読み込むとともに、識別コードおよびプリントサイズも読み込まれる。
【００４７】
本実施形態では、証明写真であることを示す識別コードだけでなくプリントサイズをも、フィルムあるいは他の記録媒体に記録されたデータから与えられるので、オペレータが指示することなく、証明写真用の画像が撮影されたコマに対して、証明写真用の処理が自動的に開始される。
すなわち、ステップ３２０において、主要被写体の抽出が行われ、ステップ３３０でプリント倍率が決定される。以下、オペレータによる確認（ステップ３４０）、微調整（ステップ３５０）、出力画像の条件設定（ステップ３６０）については、前記第一あるいは第二実施形態と同様である。
【００４８】
以上、説明した実施形態によれば、いずれも簡単、手軽な操作で証明写真の撮影および作成を行うことができる。
また、特に、デジタルカメラに内蔵プリンタを備えたもの（例えば、富士写真フイルム社製「プリンカム」（Fine Pix PR21 Princam)等）に本発明を適用すれば、撮影してすぐに証明写真ができ、非常に便利である。
なお、上記実施形態では、プリント倍率は電子変倍率であったが、光学的な倍率で変えるようにしてもよい。すなわち、直接露光のプリンタにおいて、主要被写体を抽出し、場所を決めて、光学ズームで焼き付けるようにしてもよい。
【００４９】
以上、本発明の、証明写真撮影装置と画像処理装置及び証明写真作成システムについて詳細に説明したが、本発明は、以上の例には限定されず、本発明の要旨を逸脱しない範囲において、各種の改良や変更を行ってもよいのはもちろんである。
【００５０】
【発明の効果】
以上説明した通り、本発明によれば、簡単、手軽に証明写真を撮影し、作成することができるようになった。
【図面の簡単な説明】
【図１】  本発明の一実施形態に係る画像処理装置を含むデジタルフォトプリンタの概略を示すブロック図である。
【図２】  図１の画像処理装置の概略を示すブロック図である。
【図３】  本発明の第一実施形態の処理の流れを示すフローチャートである。
【図４】  本発明の証明写真作成処理を行う画面表示の一例を示す説明図である。
【図５】  （ａ）、（ｂ）は、ともに、証明写真プリントの出力例を示す説明図である。
【図６】  本発明の第二実施形態の処理の流れを示すフローチャートである。
【図７】  本発明に係る撮影装置に用いられる証明写真用アダプタの例を示す説明図である。
【図８】  本発明の第三実施形態の処理の流れを示すフローチャートである。
【符号の説明】
１０  デジタルフォトプリンタ
１２  スキャナ
１４  （画像）処理装置
１６  画像記録装置
１８  操作系
１８ａ  キーボード
１８ｂ  マウス
２０  モニタ
２２  光源
２４  可変絞り
２６  拡散ボックス
２８  キャリア
３０  結像レンズユニット
３２  イメージセンサ
３４  Ａ／Ｄ変換器
３６  スキャナ補正部
３８  ＬＯＧ変換器
４０  プレスキャン（フレーム）メモリ
４２  ファインスキャン（フレーム）メモリ
４４  プレスキャンデータ処理部
４６  ファインスキャンデータ処理部
４８  条件設定部
５０、５４  画像データ変換部
５８  セットアップ部
６０  キー補正部
６２  パラメータ統合部
７０  証明写真処理部
８０  証明写真作成処理用の画面
８２ａ  プリントサイズキー
８２ｂ  確定キー
８２ｃ  プリント倍率キー
８２ｄ  出力キー
８４  プリントサイズを示す枠
【図１】
0003862198.tif 000002
【図２】
0003862198.tif 000003
【図３】
0003862198.tif 000004
【図４】
0003862198.tif 000005
【図５】
0003862198.tif 000006
【図６】
0003862198.tif 000007
【図７】
0003862198.tif 000008
【図８】
0003862198.tif 000009